(57)【要約】【課題】  地上波デジタル放送を受信するデジタル放送受信機およびデジタル放送受信方法に関し、放送エリアの切り替わりによって突然視聴できなくなるのを防止でき、ユーザに放送エリアの切り替わりを認知させることができる。【解決手段】  指定サービスを受信できるか否かを判断するステップと、指定サービスを受信できない場合に指定サービスと同じ周波数の別のサービスを受信できるか否かを判断するステップと、別のサービスを受信できる場合に当該別のサービスに切り替えるステップとを含むものである。【選択図】  図２
2006287363.tif 000002
【特許請求の範囲】
【請求項１】
放送波を受信しデジタルデータを出力する受信・復調部と、前記デジタルデータからセクションデータと映像・音声データを分離するデジタルデータ分離部と、前記映像・音声データを再生する映像・音声再生部と、前記セクションデータを取得しその中に含まれるＮＩＴデータを元に前記受信・復調部を制御するとともに前記受信・復調部での放送波の受信状態を検出する制御部とを備え、
前記制御部は、指定サービスを受信できるか否かを判断し、前記指定サービスを受信できない場合に前記指定サービスと同じ周波数の別のサービスを受信できるか否かを判断し、前記別のサービスを受信できる場合に当該別のサービスに切り替えることを特徴とするデジタル放送受信機。
【請求項２】
放送波を受信しデジタルデータを出力する受信・復調部と、前記デジタルデータからセクションデータと映像・音声データを分離するデジタルデータ分離部と、前記映像・音声データを再生する映像・音声再生部と、前記セクションデータを取得しその中に含まれるＮＩＴデータを元に前記受信・復調部を制御するとともに前記受信・復調部での放送波の受信状態を検出する制御部とを備え、
前記制御部は、指定サービスを受信できるか否かを判断し、前記指定サービスを受信できない場合に前記指定サービスと同じ周波数の別のサービスを受信できるか否かを判断し、前記別のサービスを受信できる場合に当該別のサービスを受信できる旨のメッセージを表示することを特徴とするデジタル放送受信機。
【請求項３】
制御部が、メッセージを表示した後、ユーザに当該別のサービスを受信するか否かを選択させることを特徴とする請求項２記載のデジタル放送受信機。
【請求項４】
放送波を受信しデジタルデータを出力する受信・復調部と、前記デジタルデータからセクションデータと映像・音声データを分離するデジタルデータ分離部と、前記映像・音声データを再生する映像・音声再生部と、前記セクションデータを取得しその中に含まれるＮＩＴデータを元に前記受信・復調部を制御するとともに前記受信・復調部での放送波の受信状態を検出する制御部と、周波数，サービスＩＤを格納するデータベースとを備え、
前記制御部は、指定サービスを受信できるか否かを判断し、前記指定サービスを受信できない場合に前記指定サービスと同じ周波数の別のサービスを受信できるか否かを判断し、前記別のサービスを受信できる場合に当該別のサービスを元に前記データベースに基づき全てのチャンネル情報を更新し、前記別のサービスに切り替えることを特徴とするデジタル放送受信機。
【請求項５】
放送波を受信しデジタルデータを出力する受信・復調部と、前記デジタルデータからセクションデータと映像・音声データを分離するデジタルデータ分離部と、前記映像・音声データを再生する映像・音声再生部と、前記セクションデータを取得しその中に含まれるＮＩＴデータを元に前記受信・復調部を制御するとともに前記受信・復調部での放送波の受信状態を検出する制御部と、周波数，サービスＩＤを格納するデータベースとを備え、
前記制御部は、指定サービスを受信できるか否かを判断し、前記指定サービスを受信できない場合に前記指定サービスと同じ周波数の別のサービスを受信できるか否かを判断し、前記別のサービスを受信できかつ地域を一つに絞り込むことができない場合に当該別のサービスの周波数に近い周波数にて選局して地域を一つに絞り込み、前記地域を一つに絞り込んだサービスを元に前記データベースに基づき全てのチャンネル情報を更新し、前記地域を一つに絞り込んだサービスに切り替えることを特徴とするデジタル放送受信機。
【請求項６】
放送波を受信しデジタルデータを出力する受信・復調部と、前記デジタルデータからセクションデータと映像・音声データを分離するデジタルデータ分離部と、前記映像・音声データを再生する映像・音声再生部と、前記セクションデータを取得しその中に含まれるＮＩＴデータを元に前記受信・復調部を制御するとともに前記受信・復調部での放送波の受信状態を検出する制御部と、周波数，サービスＩＤを格納するデータベースとを備え、
前記制御部は、指定サービスを受信できるか否かを判断し、前記指定サービスを受信できない場合に前記指定サービスと同じ周波数の別のサービスを受信できるか否かを判断し、前記別のサービスを受信できかつ地域を一つに絞り込むことができない場合に当該別のサービスのサービスＩＤの地域情報に最も近い地域情報を有するサービスを元に前記データベースに基づき全てのチャンネル情報を更新し、前記最も近い地域情報を有するサービスに切り替えることを特徴とするデジタル放送受信機。
【請求項７】
放送波を受信しデジタルデータを出力する受信・復調部と、前記デジタルデータからセクションデータと映像・音声データを分離するデジタルデータ分離部と、前記映像・音声データを再生する映像・音声再生部と、前記セクションデータを取得しその中に含まれるＮＩＴデータを元に前記受信・復調部を制御するとともに前記受信・復調部での放送波の受信状態を検出する制御部と、周波数，サービスＩＤを格納するデータベースとを備え、
前記制御部は、指定サービスを受信できるか否かを判断し、前記指定サービスを受信できない場合に前記指定サービスと同じ周波数の別のサービスを受信できるか否かを判断し、前記別のサービスを受信できかつ地域を一つに絞り込むことができない場合に当該別のサービスのうちサービスＩＤの地域情報の異なるサービスにて選局して地域を一つに絞り込み、前記地域を一つに絞り込んだサービスを元に前記データベースに基づき全てのチャンネル情報を更新し、前記地域を一つに絞り込んだサービスに切り替えることを特徴とするデジタル放送受信機。
【請求項８】
放送波を受信しデジタルデータを出力する受信・復調部と、前記デジタルデータからセクションデータと映像・音声データを分離するデジタルデータ分離部と、前記映像・音声データを再生する映像・音声再生部と、前記セクションデータを取得しその中に含まれるＮＩＴデータを元に前記受信・復調部を制御するとともに前記受信・復調部での放送波の受信状態を検出する制御部と、周波数，サービスＩＤを格納するデータベースとを備え、
前記制御部は、指定サービスを受信できるか否かを判断し、前記指定サービスを受信できない場合に前記指定サービスと同じ周波数の別のサービスを受信できるか否かを判断し、前記別のサービスを受信できかつ地域を一つに絞り込むことができない場合に当該別のサービスと同じ系列のサービスにて選局して地域を一つに絞り込み、前記地域を一つに絞り込んだサービスを元に前記データベースに基づき全てのチャンネル情報を更新し、前記地域を一つに絞り込んだサービスに切り替えることを特徴とするデジタル放送受信機。
【請求項９】
放送波を受信しデジタルデータを出力する受信・復調部と、前記デジタルデータからセクションデータと映像・音声データを分離するデジタルデータ分離部と、前記映像・音声データを再生する映像・音声再生部と、前記セクションデータを取得しその中に含まれるＮＩＴデータを元に前記受信・復調部を制御するとともに前記受信・復調部での放送波の受信状態を検出する制御部と、周波数，サービスＩＤ，リモコンＩＤを格納するデータベースとを備え、
前記制御部は、指定サービスを受信できるか否かを判断し、前記指定サービスを受信できない場合に前記指定サービスと同じ周波数の別のサービスを受信できるか否かを判断し、前記別のサービスを受信できる場合に当該別のサービスに切り替え、前記別のサービスに切り替え前のリモコンＩＤを割り当てることを特徴とするデジタル放送受信機。
【請求項１０】
放送波を受信しデジタルデータを出力する受信・復調部と、前記デジタルデータからセクションデータと映像・音声データを分離するデジタルデータ分離部と、前記映像・音声データを再生する映像・音声再生部と、前記セクションデータを取得しその中に含まれるＮＩＴデータを元に前記受信・復調部を制御するとともに前記受信・復調部での放送波の受信状態を検出する制御部と、周波数，サービスＩＤ，リモコンＩＤを格納するデータベースとを備え、
前記制御部は、指定サービスを受信できるか否かを判断し、前記指定サービスを受信できない場合に前記指定サービスと同じ周波数の別のサービスを受信できるか否かを判断し、前記別のサービスを受信できる場合に当該別のサービスに切り替え、前記別のサービスに当該別のサービスに指定されているリモコンＩＤを割り当てることを特徴とするデジタル放送受信機。
【請求項１１】
制御部が、別のサービスにリモコンＩＤを割り当てた後、前記別のサービスを割り当てた前記リモコンＩＤにすでに他のサービスが割り当てられているか否かを判断し、他のサービスが割り当てられている場合に当該リモコンＩＤが選択される度に割り当てられた複数のサービスを切り換えて選局することを特徴とする請求項１０記載のデジタル放送受信機。
【請求項１２】
制御部が、別のサービスにリモコンＩＤを割り当てた後、前記別のサービスを割り当てた前記リモコンＩＤにすでに他のサービスが割り当てられているか否かを判断し、他のサービスが割り当てられている場合に当該リモコンＩＤが選択される度に割り当てられた複数のサービスのうち古い順に選局して選局に成功した時点で停止することを特徴とする請求項１０記載のデジタル放送受信機。
【請求項１３】
制御部が、選局できなかったサービスをリモコンＩＤの割り当てから削除することを特徴とする請求項１１または１２記載のデジタル放送受信機
【請求項１４】
制御部が、別のサービス以外のサービスにも当該サービスに指定されているリモコンＩＤを割り当てる請求項１０記載のデジタル放送受信機。
【請求項１５】
指定サービスを受信できるか否かを判断するステップと、前記指定サービスを受信できない場合に前記指定サービスと同じ周波数の別のサービスを受信できるか否かを判断するステップと、前記別のサービスを受信できる場合に当該別のサービスに切り替えるステップとを含むデジタル放送受信方法。
【請求項１６】
指定サービスを受信できるか否かを判断するステップと、前記指定サービスを受信できない場合に前記指定サービスと同じ周波数の別のサービスを受信できるか否かを判断するステップと、前記別のサービスを受信できる場合に当該別のサービスを受信できる旨のメッセージを表示するステップとを含むデジタル放送受信方法。
【請求項１７】
ユーザに前記別のサービスを受信するか否かを選択させるステップをさらに含む請求項１６記載のデジタル放送受信方法。
【請求項１８】
指定サービスを受信できるか否かを判断するステップと、前記指定サービスを受信できない場合に前記指定サービスと同じ周波数の別のサービスを受信できるか否かを判断するステップと、前記別のサービスを受信できる場合に当該別のサービスを元に全てのチャンネル情報を更新するステップと、前記別のサービスに切り替えるステップとを含むデジタル放送受信方法。
【請求項１９】
指定サービスを受信できるか否かを判断するステップと、前記指定サービスを受信できない場合に前記指定サービスと同じ周波数の別のサービスを受信できるか否かを判断するステップと、前記別のサービスを受信できかつ地域を一つに絞り込むことができない場合に当該別のサービスの周波数に近い周波数にて選局して地域を一つに絞り込むステップと、前記地域を一つに絞り込んだサービスを元に全てのチャンネル情報を更新するステップと、前記地域を一つに絞り込んだサービスに切り替えるステップとを含むデジタル放送受信方法。
【請求項２０】
指定サービスを受信できるか否かを判断するステップと、前記指定サービスを受信できない場合に前記指定サービスと同じ周波数の別のサービスを受信できるか否かを判断するステップと、前記別のサービスを受信できかつ地域を一つに絞り込むことができない場合に当該別のサービスのサービスＩＤの地域情報に最も近い地域情報を有するサービスを元に全てのチャンネル情報を更新するステップと、前記最も近い地域情報を有するサービスに切り替えるステップとを含むデジタル放送受信方法。
【請求項２１】
指定サービスを受信できるか否かを判断するステップと、前記指定サービスを受信できない場合に前記指定サービスと同じ周波数の別のサービスを受信できるか否かを判断するステップと、前記別のサービスを受信できかつ地域を一つに絞り込むことができない場合に当該別のサービスと同じ周波数でサービスＩＤの地域情報の異なるサービスにて選局して地域を一つに絞り込むステップと、前記地域を一つに絞り込んだサービスを元に全てのチャンネル情報を更新するステップと、前記地域を一つに絞り込んだサービスに切り替えるステップとを含むデジタル放送受信方法。
【請求項２２】
指定サービスを受信できるか否かを判断するステップと、前記指定サービスを受信できない場合に前記指定サービスと同じ周波数の別のサービスを受信できるか否かを判断するステップと、前記別のサービスを受信できかつ地域を一つに絞り込むことができない場合に当該別のサービスと同じ系列のサービスにて選局して地域を一つに絞り込むステップと、前記地域を一つに絞り込んだサービスを元に全てのチャンネル情報を更新するステップと、前記地域を一つに絞り込んだサービスに切り替えるステップとを含むデジタル放送受信方法。
【請求項２３】
指定サービスを受信できるか否かを判断するステップと、前記指定サービスを受信できない場合に前記指定サービスと同じ周波数の別のサービスを受信できるか否かを判断するステップと、前記別のサービスを受信できる場合に当該別のサービスに切り替えるステップと、前記別のサービスに切り替え前のリモコンＩＤを割り当てるステップとを含むデジタル放送受信方法。
【請求項２４】
指定サービスを受信できるか否かを判断するステップと、前記指定サービスを受信できない場合に前記指定サービスと同じ周波数の別のサービスを受信できるか否かを判断するステップと、前記別のサービスを受信できる場合に当該別のサービスに切り替えるステップと、前記別のサービスに当該別のサービスに指定されているリモコンＩＤを割り当てるステップとを含むデジタル放送受信方法。
【請求項２５】
別のサービスを割り当てたリモコンＩＤにすでに他のサービスが割り当てられているか否かを判断するステップと、他のサービスが割り当てられている場合に当該リモコンＩＤが選択される度に割り当てられた複数のサービスを切り換えて選局するステップをさらに含む請求項２４記載のデジタル放送受信方法。
【請求項２６】
別のサービスを割り当てたリモコンＩＤにすでに他のサービスが割り当てられているか否かを判断するステップと、他のサービスが割り当てられている場合に当該リモコンＩＤが選択される度に割り当てられた複数のサービスのうち古い順に選局して選局に成功した時点で停止するステップをさらに含む請求項２４記載のデジタル放送受信方法。
【請求項２７】
選局できなかったサービスをリモコンＩＤの割り当てから削除するステップをさらに含む請求項２５または２６記載のデジタル放送受信方法。
【請求項２８】
別のサービス以外のサービスにも当該サービスに指定されているリモコンＩＤを割り当てるステップをさらに含む請求項２４記載のデジタル放送受信方法。
【発明の詳細な説明】
【技術分野】
【０００１】
本発明は、地上波デジタル放送を受信するデジタル放送受信機およびデジタル放送受信方法に関する。
【背景技術】
【０００２】
従来、地上波放送においては、多数の放送エリアに分割され、放送エリア毎に複数の放送局が存在しており、各放送エリアの放送局毎に放送用の周波数が割り当てられている。
【０００３】
また、近年、地上波デジタル放送が普及しつつある。デジタル放送は、アナログデータを圧縮符号化して小容量としたデジタル信号を用い、複数のチャンネルのデジタル信号を多重化することができるため、一つの周波数帯域に多数のチャンネルが割り当てられている。
【０００４】
ところで、地上波放送では、電波塔に設置された送信アンテナから所定出力の電波（搬送波）により放送信号を送信しているため、放送信号を受信できる放送エリアが送信アンテナを中心として所定距離内に限られる。
【０００５】
このため、例えば、車載用のデジタル放送受信機の場合、自動車が走行することで受信位置を移動すると、受信できる放送エリアが隣接する放送エリアに変わる場合がある。放送エリアが変わると放送局も変わるため、放送局毎に割り当てられた放送用の周波数（チャンネル）も変わり、ユーザはチャンネルを選択しなおす必要が生じる。
【０００６】
そこで、特許文献１に記載のように、車両の現在位置を検出し、検出した現在位置と地上波チャンネルデータベースとを比較し、現在位置において地上波放送で受信可能なチャンネルの一覧を出力する車載用受信装置が提案されている。
【特許文献１】特願２００１−３５６１００号公報
【発明の開示】
【発明が解決しようとする課題】
【０００７】
しかし、従来の車載用受信装置では、地上波チャンネルデータベースにない放送エリアへ移動した場合、受信可能な放送局が変わって突然視聴できなくなるという問題がった。また、その原因が電波状態の悪化によるものか、放送エリアの切り替わりによるものか判らず、ユーザに不安を与えるという問題があった。
【課題を解決するための手段】
【０００８】
本発明のデジタル放送受信機は、放送波を受信しデジタルデータを出力する受信・復調部と、前記デジタルデータからセクションデータと映像・音声データを分離するデジタルデータ分離部と、前記映像・音声データを再生する映像・音声再生部と、前記セクションデータを取得しその中に含まれるＮＩＴデータを元に前記受信・復調部を制御するとともに前記受信・復調部での放送波の受信状態を検出する制御部とを備え、前記制御部は、指定サービスを受信できるか否かを判断し、前記指定サービスを受信できない場合に前記指定サービスと同じ周波数の別のサービスを受信できるか否かを判断し、前記別のサービスを受信できる場合に当該別のサービスに切り替えることを特徴とするものである。
【０００９】
本発明のデジタル放送受信方法は、指定サービスを受信できるか否かを判断するステップと、前記指定サービスを受信できない場合に前記指定サービスと同じ周波数の別のサービスを受信できるか否かを判断するステップと、前記別のサービスを受信できる場合に当該別のサービスに切り替えるステップとを含むものである。
【００１０】
本発明のデジタル放送受信機およびデジタル放送受信方法によると、放送エリアが切り替わり指定サービスを受信できなくなった場合に、自動的に別のサービスに切り替えて受信が継続される。
【発明の効果】
【００１１】
本発明のデジタル放送受信機およびデジタル放送受信方法によると、放送エリアの切り替わりによって突然視聴できなくなるのを防止でき、ユーザに放送エリアの切り替わりを認知させることができる。
【発明を実施するための最良の形態】
【００１２】
以下、本発明の実施形態を図面を用いて説明する。なお、デジタル放送受信機は車載用として説明するが、特に車載用に限るものではない。
【００１３】
（第１の実施形態）
本発明の第１の実施形態に係るデジタル放送受信機について、図１および図２を参照しながら説明する。図１はデジタル放送受信機のブロック図、図２はデジタル放送受信機の動作フローチャートである。
【００１４】
図１において、１１は受信・復調部、１２はデジタルデータ分離部、１３は映像・音声再生部、１４は表示部、１５は制御部、１６は入力装置である。
【００１５】
受信・復調部１１は、制御部１５で指定された周波数の放送波を受信し、デジタルデータを出力する。
【００１６】
デジタルデータ分離部１２は、受信・復調部１１から出力されたデジタルデータから、受信に必要なチャンネル情報などを含むセクションデータと、映像・音声再生に必要な映像・音声データを分離する。
【００１７】
映像・音声再生部１３は、デジタルデータ分離部１２から出力された映像・音声データを再生する。
【００１８】
表示部１４は、映像等の表示を行う。
【００１９】
制御部１５は、デジタルデータ分離部１２から出力されたセクションデータを取得し、その中に含まれるＮＩＴ（Network Information Table）データを元に受信・復調部１１を制御する。また、受信・復調部１１での放送波の受信状態を検出する。
【００２０】
入力装置１６は、リモコンのボタンや表示部１４のタッチパネル等からなり、各種操作や選択を行う。
【００２１】
次に、図２を用いて、デジタル放送受信機の動作について説明する。
【００２２】
まず、制御部１５にて、デジタルデータ分離部１２から出力されたセクションデータを取得し、指定サービス（現在受信しているデジタル放送）を受信できているか否かを判断する（Ｓ２１）。すなわち、デジタルデータ分離部１２からは指定サービスのセクションデータのみがスクリーニングされて出力され、制御部１５にてデジタルデータ分離部１２から出力されたセクションデータと、指定サービスのセクションデータとを比較し、一致すれば指定サービスを受信できていると判断し、処理を終了する。
【００２３】
車が移動することにより放送エリアが切り替わり、指定サービスを受信できなくなると、受信・復調部１１ではサービスが全く受信されなかったり、あるいは指定サービス以外のサービスを受信しているため、デジタルデータ分離部１２からセクションデータが出力されなくなる。制御部１５は、セクションデータを取得できなくなると、指定サービスを受信できていないと判断し、ステップＳ２２へ進む。
【００２４】
ステップＳ２２では、別のサービスを受信できるか否かを判断する。すなわち、制御部１５にて受信・復調部１１における放送波の受信状態を検出し、受信・復調部１１にて何らかの放送波が受信されている場合、別のサービスを受信できると判断する。受信・復調部１１にて全く放送波が受信されていない場合、別のサービスを受信できないと判断して、処理を終了する。
【００２５】
ステップＳ２２にて、別のサービスを受信できると判断した場合、制御部１５は現在受信している放送波からＮＩＴデータを取得し、そのサービスＩＤを受信・復調部１１に送信し、当該別のサービスを選局するように制御する（Ｓ２３）。
【００２６】
表１を用いて具体的に説明すると、指定サービスが放送エリアＡの放送局ａであり、放送エリアが切り替わり、放送局ａが受信できなくなり、放送局ａの周波数ｆ１と同じ周波数である別のサービス（例えば放送局ｄ）を受信していると判断した場合、当該別のサービスのＮＩＴデータから得たサービスＩＤを受信・復調部１１に送信し、自動的に放送局ｄが選局される。
【００２７】
この構成により、放送エリアが切り替わり指定サービスを受信できなくなった場合に、突然視聴できなくなるブラックアウトを防ぎ、自動的に受信を継続することができる。また、現在位置情報を取得する機能が不要であり、装置の簡素化を図ることができる。
【００２８】
（第２の実施形態）
本発明の第２の実施形態に係るデジタル放送受信機について、図３を用いて説明する。なお、デジタル放送受信機の構成は図１と同様であり、図３のフローチャートにおいて前記実施形態と同一部分は同一符号を付してその説明を省略する。
【００２９】
図３のデジタル放送受信機の動作フローチャートにおいて、ステップＳ２２で別のサービスを受信できると判断した場合、表示部１４に別のサービスを受信できる旨のメッセージを表示する（Ｓ３１）。なお、後述の地域別地上波チャンネルデータベースを備えると、当該データベースとの比較により、受信できる放送局名の表示も行える。
【００３０】
この構成により、ユーザはステップＳ３１のメッセージ表示により、放送エリアが切り替わったことが判り、ブラックアウトした画面だけでは、トンネルに入るなどして受信状況が悪化した（そのまま放置してもそのうち受信が再開される可能性が高い）のか、放送エリアが切り替わった（そのまま放置しても受信が再開される可能性は低い）のかが判断できない、という課題を解決できる。
【００３１】
（第３の実施形態）
本発明の第３の実施形態に係るデジタル放送受信機について、図４を用いて説明する。なお、デジタル放送受信機の構成は図１と同様であり、図４のフローチャートにおいて前記実施形態と同一部分は同一符号を付してその説明を省略する。
【００３２】
図４のデジタル放送受信機の動作フローチャートにおいて、ステップＳ３１で別のサービスを受信できる旨のメッセージを表示した後、ユーザに当該別のサービスを受信するか否かを選択させる（Ｓ４１）。例えば、当該別のサービスを受信する場合、入力装置１６によって所定の操作をするよう表示部１４に表示する。
【００３３】
ユーザは入力装置１６を操作し、当該別のサービスを受信するか否かを選択し（Ｓ４２）、当該別のサービスを受信しない選択をした場合、処理を終了する。当該別のサービスを受信する選択をした場合、当該別のサービスが選局される（Ｓ２３）。
【００３４】
この構成により、ユーザの意図に反した選局の切り替えが行われるのを防止し、別のサービスへの切り替えを行うか否かをユーザが選ぶことができ選択の幅が広がる。
【００３５】
（第４の実施形態）
本発明の第４の実施形態に係るデジタル放送受信機について、図５および図６を参照しながら説明する。図５はデジタル放送受信機のブロック図、図６はデジタル放送受信機の動作フローチャートである。なお、図５において図１と同一部分は同一符号を付してその説明を省略する。また、図６のフローチャートにおいて前記実施形態と同一部分は同一符号を付してその説明を省略する。
【００３６】
図５において、１７は地域別地上波チャンネルデータベース（以下、データベースと称する）である。
【００３７】
データベース１７は、ＮＩＴデータに対応しており、周波数，サービスＩＤ，リモコンＩＤを格納している。また、全国のチャンネルを保持している。表１にデータベース１７の一例を示す。
【００３８】
【表１】
2006287363.tif 000003
周波数は、放送局毎に割り当てられた放送用の周波数（チャンネル）であり、同一の放送エリアに属する放送局には異なる周波数が割り当てられている。
【００３９】
サービスＩＤは、放送エリア（地域情報），放送局，系列の各情報を含む。例えば、放送局ａの放送エリアはＡであり、系列局αに属する。また、放送局ｚの放送エリアは広域であり、複数の放送エリア（例えば、放送エリアＢ，Ｃ）にまたがっており、系列局γに属する。
【００４０】
リモコンＩＤは、デジタル放送受信機に付属のリモコンのボタンと、そのボタンを押すと選局できるサービスとを関連付けるためのＩＤである。リモコンのボタン数に比べ、データベース１７に格納されているサービスの数の方が多いため、当該サービスに割り当てられたリモコンＩＤは、他の放送エリアに属するサービスに割り当てられたリモコンＩＤと重複している。
【００４１】
図６のデジタル放送受信機の動作フローチャートにおいて、ステップＳ２２で別のサービスを受信できると判断した場合、当該別のサービスのＮＩＴデータから得たサービスＩＤの放送エリアと同じ放送エリアのサービスをデータベース１７から検索する（Ｓ６１）。そして、検索にて得たサービスのサービスＩＤを元に全てのチャンネル情報（リモコンの一覧表）を更新し（Ｓ６２）、当該別のサービスが選局される（Ｓ２３）。
【００４２】
表１を用いて具体的に説明すると、指定サービスが放送エリアＡの放送局ａであり、放送エリアが切り替わり、放送局ａが受信できなくなり、放送局ａの周波数ｆ１と同じ周波数である別のサービス（例えば放送局ｄ）を受信していると判断した場合、当該別のサービスのＮＩＴデータから得た放送エリアと同じ放送エリアＢに属する放送局ｄ，ｅ，ｆが検索にて得られ、自動的に放送局ｄが選局される。
【００４３】
この構成によると、選局中の周波数だけでなく、他の周波数についても同時にチャンネル情報を更新することができる。
【００４４】
（第５の実施形態）
本発明の第５の実施形態に係るデジタル放送受信機について、図７を用いて説明する。なお、デジタル放送受信機の構成は図５と同様であり、データベース１７は表１と同様であり、図７のフローチャートにおいて前記実施形態と同一部分は同一符号を付してその説明を省略する。
【００４５】
図７のデジタル放送受信機の動作フローチャートにおいて、ステップＳ２２で受信できると判断された別のサービスが例えば広域（複数の放送エリアにまたがる）のサービスである場合、ステップＳ６１にてデータベース１７から検索したサービスの放送エリアは複数存在することになる。
【００４６】
ステップＳ７１にて、放送エリアが複数存在するか否かを判断し、複数存在する場合はステップＳ７２に進む。ステップＳ７２では、現在受信している周波数と異なる周波数にて選局を行う。例えば、現在の周波数と近い周波数にて選局したり、あるいはランダムな周波数にて選局してもよい。ステップＳ７２にて選局した周波数にてサービスを受信できると、ステップＳ６１にて当該サービスのＮＩＴデータから得たサービスＩＤの放送エリアと同じ放送エリアのサービスをデータベース１７から検索し、当該サービスが広域でなく一つの地域に限定されるサービスであると、ステップＳ７１にて放送エリアが一つに絞れたと判断され、ステップＳ７３に進む。なお、ステップＳ７１にて放送エリアが一つに絞られたと判断されるまで、周波数を変えて選局を行う。
【００４７】
そして、一つに絞れた放送エリアに属するサービスのサービスＩＤを元に全てのチャンネル情報（リモコンの一覧表）を更新し（Ｓ７３）、当該サービスが選局される（Ｓ２３）。
【００４８】
表１を用いて具体的に説明すると、指定サービスが放送エリアＡの放送局ｃであり、放送エリアが切り替わり、放送局ｃが受信できなくなり、放送局ｃの周波数ｆ３と同じ周波数である広域の別のサービス（例えば放送局ｚ）を受信していると判断した場合、当該広域の別のサービスのＮＩＴデータから得た放送エリアと同じ放送エリアＢ，Ｃに属する放送局ｄ，ｅ，ｆ，ｇ，ｈが検索される。そこで、現在の周波数ｆ３に近い周波数（例えばｆ４）にて選局し、一つの地域に限定されるサービス（例えば放送局ｈ）を受信すると、そのＮＩＴデータから得た放送エリアと同じ放送エリアＣに属する放送局ｇ，ｈが検索にて得られ、自動的に放送局ｈが選局される。
【００４９】
この構成によると、ステップＳ２２で受信できると判断された別のサービスが例えば広域のサービスであって、チャンネル情報の更新候補が複数ある場合でも対応できる。
【００５０】
（第６の実施形態）
本発明の第６の実施形態に係るデジタル放送受信機について、図８を用いて説明する。なお、デジタル放送受信機の構成は図５と同様であり、データベース１７は表１と同様であり、図８のフローチャートにおいて前記実施形態と同一部分は同一符号を付してその説明を省略する。
【００５１】
ステップＳ７１にて、データベース１７から検索したサービスの放送エリアが複数存在するか否かを判断し、放送エリアが一つの場合、検索にて得たサービスのサービスＩＤを元に全てのチャンネル情報を更新し（Ｓ６２）、当該別のサービスが選局される（Ｓ２３）。
【００５２】
ステップＳ７１にて、放送エリアが複数存在する場合、当該別のサービスのＮＩＴデータに基づき、当該別のサービスの放送エリアに一番近い放送エリアのサービスのサービスＩＤを元に全てのチャンネル情報（リモコンの一覧表）を更新する（Ｓ８１）。すなわち、ＮＩＴデータの放送エリアを現すデータの値が近いものは、近い地域であることから、例えばＮＩＴデータにより当該別のサービスが広域のサービスであることが判ると、その別のサービスの放送エリアを現すデータの値と近い放送エリアを現すデータを有するサービスをデータベース１７から検索し、当該サービスのサービスＩＤを元に全てのチャンネル情報を更新し、当該サービスが選局される（Ｓ２３）。
【００５３】
表１を用いて具体的に説明すると、指定サービスが放送エリアＡの放送局ｃであり、放送エリアが切り替わり、放送局ｃが受信できなくなり、放送局ｃの周波数ｆ３と同じ周波数である別のサービス（例えば放送局ｆ）を受信していると判断した場合、当該別のサービスのＮＩＴデータから得た放送エリアと同じ放送エリアＢに属する放送局ｄ，ｅ，ｆが検索され，放送エリアが一つに絞れるので、放送局ｄ，ｅ，ｆのサービスＩＤを元に全てのチャンネル情報を更新し、自動的に放送局ｆが選局される。
【００５４】
また、放送エリアが切り替わり、放送局ｃが受信できなくなり、放送局ｃの周波数ｆ３と同じ周波数である広域の別のサービス（例えば放送局ｚ）を受信していると判断した場合、当該広域の別のサービスのＮＩＴデータから得た放送エリアと同じ放送エリアＢ，Ｃに属する放送局ｄ，ｅ，ｆ，ｇ，ｈが検索される。そこで、当該広域の別のサービスのＮＩＴデータにより放送エリアを現すデータＢ，Ｃの値と近い放送エリアを現すデータ（例えばＣ）を有するサービス（放送局ｇ，ｈ）のサービスＩＤを元に全てのチャンネル情報を更新し、指定サービスの放送局ｃの周波数に最も近い周波数を有した放送局（例えばｇ）が自動的に選局される。
【００５５】
この構成によると、チャンネル情報の更新候補が複数ある場合に、ＮＩＴデータの放送エリアのデータを元にチャンネルを設定するので、他の周波数を検索するという手間を省くことができる。
【００５６】
（第７の実施形態）
本発明の第７の実施形態に係るデジタル放送受信機について、図９を用いて説明する。なお、デジタル放送受信機の構成は図５と同様であり、データベース１７は表１と同様であり、図９のフローチャートにおいて前記実施形態と同一部分は同一符号を付してその説明を省略する。
【００５７】
本第７の実施形態は、第５の実施形態のステップＳ７２をステップＳ９１にて置き換えたものである。ステップＳ９１は、現在受信している別のサービスの周波数と同じ周波数で、当該別のサービス以外のサービスをデータベース１７から検索する。そして、検索にて得たサービスが広域でなく一つの地域に限定されるサービスであると判断されるまで繰り返すことで地域を一つに絞り込む。
【００５８】
表１を用いて具体的に説明すると、指定サービスが放送エリアＡの放送局ｃであり、放送エリアが切り替わり、放送局ｃが受信できなくなり、放送局ｃの周波数ｆ３と同じ周波数である広域の別のサービス（例えば放送局ｚ）を受信していると判断した場合、当該広域の別のサービスのＮＩＴデータから得た放送エリアと同じ放送エリアＢ，Ｃに属する放送局ｄ，ｅ，ｆ，ｇ，ｈが検索される。そこで、現在の周波数ｆ３で当該広域の別のサービスと異なるサービス（例えば放送局ｆ）を選局し、当該サービスのＮＩＴデータから得た放送エリアと同じ放送エリアＢに属する放送局ｄ，ｅ，ｆが検索にて得られ、自動的に放送局ｆが選局される。
【００５９】
この構成によると、チャンネル情報の更新候補が複数ある場合に、より確率の高い選択が行える。
【００６０】
（第８の実施形態）
本発明の第８の実施形態に係るデジタル放送受信機について、図１０を用いて説明する。なお、デジタル放送受信機の構成は図５と同様であり、データベース１７は表１と同様であり、図１０のフローチャートにおいて前記実施形態と同一部分は同一符号を付してその説明を省略する。
【００６１】
本第８の実施形態は、第５の実施形態のステップＳ７２をステップＳ１０１にて置き換えたものである。ステップＳ１０１は、現在受信している別のサービスの周波数と同じ周波数で、当該別のサービスと同じ系列のサービスをデータベース１７から検索する。そして、検索にて得たサービスが広域でなく一つの地域に限定されるサービスであると判断されるまで繰り返すことで地域を一つに絞り込む。
【００６２】
表１を用いて具体的に説明すると、指定サービスが放送エリアＡの放送局ｃであり、放送エリアが切り替わり、放送局ｃが受信できなくなり、放送局ｃの周波数ｆ３と同じ周波数である広域の別のサービス（例えば放送局ｚ）を受信していると判断した場合、当該広域の別のサービスのＮＩＴデータから得た放送エリアと同じ放送エリアＢ，Ｃに属する放送局ｄ，ｅ，ｆ，ｇ，ｈが検索される。そこで、放送局ｚが属する系列局γと同じ系列局γである放送局（例えば放送局ｆ）を選局し、当該放送局ｆの放送エリアと同じ放送エリアＢに属する放送局ｄ，ｅ，ｆが検索にて得られ、自動的に放送局ｆが選局される。
【００６３】
この構成によると、より一層確率の高い選択が行え、かつ、これまで視聴していたサービスと同じ系列であるのでサービス内容が似ていることから視聴状態を阻害する恐れが減少する。
【００６４】
（第９の実施形態）
本発明の第９の実施形態に係るデジタル放送受信機について、図１１を用いて説明する。なお、デジタル放送受信機の構成は図１と同様であり、図１１のフローチャートにおいて前記実施形態と同一部分は同一符号を付してその説明を省略する。
【００６５】
本第９の実施形態は、第１の実施形態のステップＳ２３で別のサービスを選局した後、当該別のサービスとリモコンのボタンの関連付けを行うものである。すなわち、Ｓ１１１にて、受信できた別のサービスのＮＩＴデータから得たリモコンＩＤではなく、現在設定されているリモコンＩＤを別のサービスに割り当てる。
【００６６】
表１を用いて具体的に説明すると、指定サービスが放送エリアＡの放送局ａであり、放送エリアが切り替わり、放送局ａが受信できなくなり、放送局ａの周波数ｆ１と同じ周波数である別のサービス（例えば放送局ｄ）を受信していると判断した場合、当該別のサービスのＮＩＴデータから得たリモコンＩＤｒ２を用いず、元のリモコンＩＤｒ１を放送局ｄに割り当てる。
【００６７】
この構成によると、切り替え前と同様のリモコン操作で引き続き選局することができる。
【００６８】
なお、本第９の実施形態を第３〜８の実施形態に適用してもよい。すなわち、ステップＳ２３にて選局したサービスのリモコンＩＤを、切り換え前のサービスのリモコンＩＤで踏襲する。
【００６９】
（第１０の実施形態）
本発明の第１０の実施形態に係るデジタル放送受信機について、図１２を用いて説明する。なお、デジタル放送受信機の構成は図１と同様であり、図１２のフローチャートにおいて前記実施形態と同一部分は同一符号を付してその説明を省略する。
【００７０】
本第１０の実施形態は、第１の実施形態で、受信できた別のサービスのＮＩＴデータから得たリモコンＩＤを、当該別のサービスのリモコンＩＤとして割り当てる。（Ｓ１２１）。
【００７１】
表１を用いて具体的に説明すると、指定サービスが放送エリアＡの放送局ａであり、放送エリアが切り替わり、放送局ａが受信できなくなり、放送局ａの周波数ｆ１と同じ周波数である別のサービス（例えば放送局ｄ）を受信していると判断した場合、当該別のサービスのＮＩＴデータから得たリモコンＩＤｒ２を放送局ｄに割り当てる。
【００７２】
この構成によると、放送局側の意図を尊重する形での運用が行える。
【００７３】
なお、本第１０の実施形態を第３〜８の実施形態に適用してもよい。すなわち、ステップＳ２３にて選局したサービスのリモコンＩＤを、ＮＩＴデータから得たリモコンＩＤにしたがうようにする。
【００７４】
（第１１の実施形態）
本発明の第１１の実施形態に係るデジタル放送受信機について、図１３を用いて説明する。なお、デジタル放送受信機の構成は図１と同様であり、図１３のフローチャートにおいて前記実施形態と同一部分は同一符号を付してその説明を省略する。
【００７５】
本第１１の実施形態は、第１０の実施形態のステップＳ１２１でリモコンＩＤを割り当てた際、すでにそのリモコンＩＤと同じリモコンＩＤが他のサービスに割り当てられているか否かを判断し（Ｓ１３１）、すでに他のサービスに割り当てられている場合、当該リモコンＩＤの対応するリモコンのボタンを押すたびに、当該リモコンＩＤが割り当てられた複数のサービスを切り替えて選局する（Ｓ１３２）。
【００７６】
表１を用いて具体的に説明すると、指定サービスが放送エリアＡの放送局ａであり、放送エリアが切り替わり、放送局ａが受信できなくなり、放送局ａの周波数ｆ１と同じ周波数である別のサービス（例えば放送局ｄ）を受信していると判断した場合、当該別のサービスのＮＩＴデータから得たリモコンＩＤｒ２を放送局ｄに割り当てる。このとき、すでに放送局ｂにもリモコンＩＤｒ２が割り当てられているため、リモコンＩＤｒ２に対応するリモコンのボタンを押すたびに、放送局ｂ，ｄを切り替えて選局する。
【００７７】
この構成によると、放送エリアの境界地域など、複数のサービスが受信できる状態でのユーザの選択肢が広がる。
【００７８】
なお、本第１１の実施形態を第３〜８の実施形態に適用してもよい。
【００７９】
（第１２の実施形態）
本発明の第１２の実施形態に係るデジタル放送受信機について、図１４を用いて説明する。なお、デジタル放送受信機の構成は図１と同様であり、図１４のフローチャートにおいて前記実施形態と同一部分は同一符号を付してその説明を省略する。
【００８０】
本第１２の実施形態は、第１１の実施形態のステップＳ１３２をステップＳ１４１にて置き換えたものである。ステップＳ１４１は、当該リモコンＩＤがすでに他のサービスに割り当てられている場合、リモコンのボタンを押すたびに、当該リモコンＩＤが登録されている古いサービスから順に連続して選局し、選局に成功した時点で停止する。
【００８１】
表１を用いて具体的に説明すると、指定サービスが放送エリアＡの放送局ａであり、放送エリアが切り替わり、放送局ａが受信できなくなり、放送局ａの周波数ｆ１と同じ周波数である別のサービス（例えば放送局ｄ）を受信していると判断した場合、当該別のサービスのＮＩＴデータから得たリモコンＩＤｒ２を放送局ｄに割り当てる。このとき、すでに放送局ｂにもリモコンＩＤｒ２が割り当てられているため、リモコンＩＤｒ２に相当するリモコンのボタンを押すたびに、リモコンＩＤｒ２が登録されている古い放送局ｂから新しく登録した放送局ｄの順に連続して選局し、例えば放送局ｂの選局に成功する選局動作を停止して放送局ｄを受信する。
【００８２】
この構成によると、選局不可のサービスを選択することを防ぐことができる。また、古く登録されたサービスほどユーザが選局する頻度が高いことから、最もユーザの設定に近いサービスの選局ができる。
【００８３】
なお、本第１２の実施形態を第３〜８の実施形態に適用してもよい。
【００８４】
（第１３の実施形態）
本発明の第１３の実施形態に係るデジタル放送受信機について、図１５を用いて説明する。なお、デジタル放送受信機の構成は図１と同様である。
【００８５】
本第１３の実施形態は、第１１，１２の実施形態のステップＳ１３２，１４１において選局した際に、選局できたか否かを判断し（Ｓ１５１）、選局できなかったサービスについては当該リモコンＩＤの割り当てから削除する（Ｓ１５２）。
【００８６】
この構成によると、利用しなくなった不必要なサービスの選局を防ぐことができる。
【００８７】
（第１４の実施形態）
本発明の第１４の実施形態に係るデジタル放送受信機について、図１６を用いて説明する。なお、デジタル放送受信機の構成は図１と同様であり、図１６のフローチャートにおいて前記実施形態と同一部分は同一符号を付してその説明を省略する。
【００８８】
本第１４の実施形態は、第１０の実施形態のステップＳ１２１で、別のサービスにリモコンＩＤを割り当てた後、ステップＳ１６１で残りのサービスにも当該サービスに指定されているリモコンＩＤを割り当てるものである。
【００８９】
表１を用いて具体的に説明すると、指定サービスが放送エリアＡの放送局ａであり、放送エリアが切り替わり、放送局ａが受信できなくなり、放送局ａの周波数ｆ１と同じ周波数である別のサービス（例えば放送局ｄ）を受信していると判断した場合、当該別のサービスのＮＩＴデータから得たリモコンＩＤｒ２を放送局ｄに割り当てる。さらに、放送局ｄ以外の同じ放送エリアＢにおける放送局ｅ，ｆに指定されているリモコンＩＤｒ３，ｒ４を割り当てる。
【００９０】
この構成によると、より放送局側の意図を尊重する形での運用が行える。
【００９１】
なお、本第１４の実施形態を第３〜８の実施形態に適用してもよい。すなわち、ステップＳ２３にて選局したサービスのリモコンＩＤを、ＮＩＴデータから得たリモコンＩＤにしたがうようにする。
【産業上の利用可能性】
【００９２】
本発明は、地上波デジタル放送を受信する車載用のデジタル放送受信機に有用である。
【図面の簡単な説明】
【００９３】
【図１】本発明の実施形態に係るデジタル放送受信機のブロック図
【図２】本発明の第１の実施形態に係るデジタル放送受信機の動作フローチャート
【図３】本発明の第２の実施形態に係るデジタル放送受信機の動作フローチャート
【図４】本発明の第３の実施形態に係るデジタル放送受信機の動作フローチャート
【図５】本発明の実施形態に係るデジタル放送受信機のブロック図
【図６】本発明の第４の実施形態に係るデジタル放送受信機の動作フローチャート
【図７】本発明の第５の実施形態に係るデジタル放送受信機の動作フローチャート
【図８】本発明の第６の実施形態に係るデジタル放送受信機の動作フローチャート
【図９】本発明の第７の実施形態に係るデジタル放送受信機の動作フローチャート
【図１０】本発明の第８の実施形態に係るデジタル放送受信機の動作フローチャート
【図１１】本発明の第９の実施形態に係るデジタル放送受信機の動作フローチャート
【図１２】本発明の第１０の実施形態に係るデジタル放送受信機の動作フローチャート
【図１３】本発明の第１１の実施形態に係るデジタル放送受信機の動作フローチャート
【図１４】本発明の第１２の実施形態に係るデジタル放送受信機の動作フローチャート
【図１５】本発明の第１３の実施形態に係るデジタル放送受信機の動作フローチャート
【図１６】本発明の第１４の実施形態に係るデジタル放送受信機の動作フローチャート
【符号の説明】
【００９４】
１１  受信・復調部
１２  デジタルデータ分離部
１３  映像・音声再生部
１４  表示部
１５  制御部
１６  入力装置
１７  地域別地上波チャンネルデータベース
【図１】
2006287363.tif 000004
【図２】
2006287363.tif 000005
【図３】
2006287363.tif 000006
【図４】
2006287363.tif 000007
【図５】
2006287363.tif 000008
【図６】
2006287363.tif 000009
【図７】
2006287363.tif 000010
【図８】
2006287363.tif 000011
【図９】
2006287363.tif 000012
【図１０】
2006287363.tif 000013
【図１１】
2006287363.tif 000014
【図１２】
2006287363.tif 000015
【図１３】
2006287363.tif 000016
【図１４】
2006287363.tif 000017
【図１５】
2006287363.tif 000018
【図１６】
2006287363.tif 000019